(57)【要約】【課題】画像データの送受信の処理になるべく影響を与えることなく、速やかに現在の通信状況を検出し、画像データの送信制御を行うことができる表示システム、画像供給装置、プログラム、及び、表示システムの制御方法を提供する。【解決手段】プロジェクションシステム１は、画像データより小さい検出用データ５６ｂをプロジェクター１０に送信し、検出用データ５６ｂがプロジェクター１０に到達した到達時間に基づいて通信状況を検出する検出部６１と、検出部６１により検出された通信状況に基づいて、ＰＣ５０からプロジェクター１０に対して送信する画像データの単位時間当たりのデータ量を変化させる送信データ制御部６２と、を備えた。【選択図】図１
2014049942.tif 000002
【特許請求の範囲】
【請求項１】
画像供給装置から表示装置に対し通信回線を介して画像データを連続して送信し、前記表示装置により前記画像データを受信する毎に表示を更新する表示システムであって、
前記画像データより小さい検出用のデータを前記表示装置に送信し、前記検出用のデータが前記表示装置に到達した到達時間に基づいて通信状況を検出する検出手段と、
前記検出手段により検出された通信状況に基づいて、前記画像供給装置から前記表示装置に対して送信する前記画像データの単位時間当たりのデータ量を変化させる送信データ制御手段と、を備えた
ことを特徴とする表示システム。
【請求項２】
請求項１に記載の表示システムであって、
前記送信データ制御手段は、連続して前記表示装置に送信する画像データの送信間隔を変更して、前記画像データの単位時間当たりのデータ量を変化させることを特徴とする表示システム。
【請求項３】
請求項１に記載の表示システムであって、
前記送信データ制御手段は、前記表示装置に送信する画像データの圧縮方式を変更して、前記画像データの単位時間当たりのデータ量を変化させることを特徴とする表示システム。
【請求項４】
請求項１に記載の表示システムであって、
前記送信データ制御手段は、前記表示装置に送信する画像データの解像度を変更して、前記画像データの単位時間当たりのデータ量を変化させることを特徴とする表示システム。
【請求項５】
表示装置に対し通信回線を介して画像データを連続して送信し、前記表示装置により前記画像データを表示させる画像供給装置であって、
前記画像データより小さい検出用のデータを前記表示装置に送信し、前記検出用のデータが前記表示装置に到達した到達時間に基づいて通信状況を検出する検出手段と、
前記検出手段により検出された通信状況に基づいて、前記表示装置に対して送信する前記画像データの単位時間当たりのデータ量を変化させる送信データ制御手段と、を備えた
ことを特徴とする画像供給装置。
【請求項６】
画像供給装置から表示装置に対し通信回線を介して画像データを連続して送信し、前記表示装置により前記画像データを受信する毎に表示を更新する表示システムを制御するコンピューターが実行可能なプログラムであって、
前記コンピューターを、
前記画像データより小さい検出用のデータを前記表示装置に送信し、前記検出用のデータが前記表示装置に到達した到達時間に基づいて通信状況を検出する検出手段と、
前記検出手段により検出された通信状況に基づいて、前記画像供給装置から前記表示装置に対して送信する前記画像データの単位時間当たりのデータ量を変化させる送信データ制御手段と、
して機能させることを特徴とするプログラム。
【請求項７】
画像供給装置から表示装置に対し通信回線を介して画像データを連続して送信し、前記表示装置により前記画像データを受信する毎に表示を更新する表示システムを制御する表示システムの制御方法であって、
前記画像データより小さい検出用のデータを前記表示装置に送信し、前記検出用のデータが前記表示装置に到達した到達時間に基づいて通信状況を検出し、当該検出した通信状況に基づいて、前記画像供給装置から前記表示装置に対して送信する前記画像データの単位時間当たりのデータ量を変化させる
ことを特徴とする表示システムの制御方法。
【発明の詳細な説明】
【技術分野】
【０００１】
本発明は、画像供給装置から表示装置に対して画像データを送信し、当該画像データに基づく画像を表示装置に表示させる表示システム、画像供給装置、プログラム、及び、表示システムの制御方法に関する。
【背景技術】
【０００２】
従来、送信側端末と受信側端末との二者間で通信回線を介して映像データを送受信し、受信した映像データに基づいて映像を表示するシステムが知られている（例えば、特許文献１参照）。一般に、送信側端末と受信側端末との間で通信回線を介して映像データを送受信するシステムでは、データ伝送量が多いため、通信帯域が不足してデータロスや伝送遅延が発生する場合がある。このため、特許文献１に記載のシステムは、送信側端末が送信したデータを受信側端末が受信すると、受信側端末が受信レポートを送信し、送信側端末は、受信側端末から受け取った受信レポートをもとに、受信側端末に到着していないデータを検出し、この検出結果に基づいて映像データの送信レートを決定する。
【先行技術文献】
【特許文献】
【０００３】
【特許文献１】特開平１１−６８８８０号公報
【発明の概要】
【発明が解決しようとする課題】
【０００４】
ところで、通信回線が混雑している場合には、静止画像データや映像データを送信すると、これらのデータが受信側端末に到達するまでの時間が増加する。このため、特許文献１記載のシステムのように、データが受信端末により受信されたことに応じて受信側端末が受信レポートを生成して送信するまでに時間がかかってしまい、通信回線の状況を検出するまでに時間がかかっていた。
本発明は、上述した従来の技術が有する課題を解消し、画像データの送受信になるべく影響を与えることなく、速やかに現在の通信状況を検出し、画像データの送信制御を行うことができる表示システム、画像供給装置、プログラム、及び、表示システムの制御方法を提供することを目的とする。
【課題を解決するための手段】
【０００５】
上記目的を達成するために、本発明は、画像供給装置から表示装置に対し通信回線を介して画像データを連続して送信し、前記表示装置により前記画像データを受信する毎に表示を更新する表示システムであって、前記画像データより小さい検出用のデータを前記表示装置に送信し、前記検出用のデータが前記表示装置に到達した到達時間に基づいて通信状況を検出する検出手段と、前記検出手段により検出された通信状況に基づいて、前記画像供給装置から前記表示装置に対して送信する前記画像データの単位時間当たりのデータ量を変化させる送信データ制御手段と、を備えたことを特徴とする。
この構成によれば、画像データより小さい検出用のデータを表示装置に送信し、検出用のデータが表示装置に到達した到達時間に基づいて画像供給装置と通信状況を検出するため、検出用のデータを速やかに表示装置に到達させ、現在の通信状況を速やかに検出できる。また、データ容量が大きくなりがちな画像データの受信確認等を必要としないので、画像データの送受信の処理に影響を与えることなく、より速やかに通信状況を検出でき、画像データの送信制御を行って通信状況の悪化に対応できる。
【０００６】
また本発明は、上記表示システムにおいて、前記送信データ制御手段は、連続して前記表示装置に送信する画像データの送信間隔を変更して、前記画像データの単位時間当たりのデータ量を変化させることを特徴とする。
この構成によれば、画像データの送信間隔を変更することにより画像データの単位時間当たりのデータ量を変化させ、通信回線の混雑時にデータ転送が滞るのを防ぐことができ、表示装置において映像を滑らかに表示することができる。
【０００７】
また本発明は、上記表示システムにおいて、前記送信データ制御手段は、前記表示装置に送信する画像データの圧縮方式を変更して、前記画像データの単位時間当たりのデータ量を変化させることを特徴とする。
この構成によれば、画像データの圧縮方式を変更することにより画像データの単位時間当たりのデータ量を変化させ、通信回線の混雑時にデータ転送が滞るのを防ぐことができ、表示装置において映像を滑らかに表示することができる。
【０００８】
また本発明は、上記表示システムにおいて、前記送信データ制御手段は、前記表示装置に送信する画像データの解像度を変更して、前記画像データの単位時間当たりのデータ量を変化させることを特徴とする。
この構成によれば、画像データの解像度を変更することにより画像データの単位時間当たりのデータ量を変化させ、通信回線の混雑時にデータ転送が滞るのを防ぐことができ、表示装置において映像を滑らかに表示することができる。
【０００９】
また本発明は、表示装置に対し通信回線を介して画像データを連続して送信し、前記表示装置により前記画像データを表示させる画像供給装置であって、前記画像データより小さい検出用のデータを前記表示装置に送信し、前記検出用のデータが前記表示装置に到達した到達時間に基づいて通信状況を検出する検出手段と、前記検出手段により検出された通信状況に基づいて、前記表示装置に対して送信する前記画像データの単位時間当たりのデータ量を変化させる送信データ制御手段と、を備えたことを特徴とする。
この構成によれば、画像データより小さい検出用のデータを表示装置に送信し、検出用のデータが表示装置に到達した到達時間に基づいて画像供給装置と通信状況を検出するため、検出用のデータを速やかに表示装置に到達させ、現在の通信状況を速やかに検出できる。また、データ容量が大きくなりがちな画像データの受信確認等を必要としないので、画像データの送受信の処理に影響を与えることなく、より速やかに通信状況を検出でき、画像データの送信制御を行って通信状況の悪化に対応できる。
【００１０】
また本発明は、画像供給装置から表示装置に対し通信回線を介して画像データを連続して送信し、前記表示装置により前記画像データを受信する毎に表示を更新する表示システムを制御するコンピューターが実行可能なプログラムであって、前記コンピューターを、前記画像データより小さい検出用のデータを前記表示装置に送信し、前記検出用のデータが前記表示装置に到達した到達時間に基づいて通信状況を検出する検出手段と、前記検出手段により検出された通信状況に基づいて、前記画像供給装置から前記表示装置に対して送信する前記画像データの単位時間当たりのデータ量を変化させる送信データ制御手段と、して機能させることを特徴とする。
この構成によれば、画像データより小さい検出用のデータを表示装置に送信し、検出用のデータが表示装置に到達した到達時間に基づいて画像供給装置と通信状況を検出するため、検出用のデータを速やかに表示装置に到達させ、現在の通信状況を速やかに検出できる。また、データ容量が大きくなりがちな画像データの受信確認等を必要としないので、画像データの送受信の処理に影響を与えることなく、より速やかに通信状況を検出でき、画像データの送信制御を行って通信状況の悪化に対応できる。
【００１１】
また本発明は、画像供給装置から表示装置に対し通信回線を介して画像データを連続して送信し、前記表示装置により前記画像データを受信する毎に表示を更新する表示システムを制御する表示システムの制御方法であって、前記画像データより小さい検出用のデータを前記表示装置に送信し、前記検出用のデータが前記表示装置に到達した到達時間に基づいて通信状況を検出し、当該検出した通信状況に基づいて、前記画像供給装置から前記表示装置に対して送信する前記画像データの単位時間当たりのデータ量を変化させることを特徴とする。
この構成によれば、画像データより小さい検出用のデータを表示装置に送信し、検出用のデータが表示装置に到達した到達時間に基づいて画像供給装置と通信状況を検出するため、検出用のデータを速やかに表示装置に到達させ、現在の通信状況を速やかに検出できる。また、データ容量が大きくなりがちな画像データの受信確認等を必要としないので、画像データの送受信の処理に影響を与えることなく、より速やかに通信状況を検出でき、画像データの送信制御を行って通信状況の悪化に対応できる。
【発明の効果】
【００１２】
本発明によれば、画像データより小さい検出用のデータを用いることにより、検出用のデータを、速やかに表示装置に到達させ、画像データの送受信の処理に影響を与えることなく現在の通信状況を速やかに検出し、画像データの送信制御を行うことができる。
【図面の簡単な説明】
【００１３】
【図１】本発明の実施形態に係る表示システムの機能ブロック図である。
【図２】表示システムの動作を示すシーケンス図であり、（Ａ）はＰＣの動作を示し、（Ｂ）はプロジェクターの動作を示す。
【発明を実施するための形態】
【００１４】
以下、図面を参照して本発明を適用した実施形態について説明する。
図１は、実施形態に係るプロジェクションシステム（表示システム）１を構成するプロジェクター（表示装置）１０及びＰＣ（画像供給装置）５０の機能的構成を示すブロック図である。この図１に示すプロジェクションシステム１は、投射面であるスクリーンＳＣに画像を投射する表示装置としてのプロジェクター１０に、画像を供給する画像供給装置としてのＰＣ（パーソナルコンピューター）５０を接続して構成される。
プロジェクター１０は、ＰＣ５０等のコンピューターや各種画像プレーヤー等の外部の画像供給装置に、通信回線１００及び通信Ｉ／Ｆ１１を介して接続される。通信回線１００は、無線通信を利用した無線ＬＡＮ等のネットワークである。なお、通信回線１００の一部を有線の通信ネットワークにより構成してもよい。
【００１５】
プロジェクター１０は、大きく分けて光学的な画像の形成を行う投射部２０と、この投射部２０に入力される画像信号を電気的に処理する画像処理系とからなる。投射部２０は、照明光学系２１、光変調装置２２、及び投射光学系２３から構成されている。照明光学系２１は、キセノンランプ、超高圧水銀ランプ、ＬＥＤ（Ｌｉｇｈｔ  Ｅｍｉｔｔｉｎｇ  Ｄｉｏｄｅ）、レーザー光源等からなる光源を備えている。また、照明光学系２１は、光源が発した光を光変調装置２２に導くリフレクター及び補助リフレクターを備えていてもよく、投射光の光学特性を高めるためのレンズ群（図示略）、偏光板、或いは光源が発した光の光量を光変調装置２２に至る経路上で低減させる調光素子等を備えたものであってもよい。照明光学系２１には、制御部１４の制御に従って照明光学系２１の光源を駆動する光源駆動部３５が接続されている。
【００１６】
光変調装置２２は、後述する画像処理系からの信号を受けて、照明光学系２１が発した光を変調して画像光とする。光変調装置２２の具体的な構成としては、例えば、ＲＧＢの各色に対応した３枚の透過型または反射型の液晶ライトバルブを用いた方式が挙げられる。この場合、光変調装置２２には、照明光学系２１が発した光がダイクロイックミラー等によりＲ、Ｇ、Ｂの各色光に分離されて入射する。光変調装置２２の液晶ライトバルブは、後述する光変調装置駆動部３３によって駆動され、各色光を変調する。変調された各色光はクロスダイクロイックプリズムにより合成され、投射光学系２３に導かれる。
また、例えば、光変調装置２２を１枚の液晶ライトバルブとカラーホイールを組み合わせた方式としてもよく、単板のデジタルミラーデバイス（ＤＭＤ）とカラーホイールを組み合わせた方式、ＲＧＢ各色の色光を変調する３つのＤＭＤを用いた方式等により構成してもよい。単板の液晶パネルまたはＤＭＤを用いる場合には、色光の分離／合成をする光学部品は不要である。
【００１７】
投射光学系２３は、光変調装置２２で変調された入射光をスクリーンＳＣ上に投射して結像させるためのレンズ群等を備えて構成される。また、投射光学系２３は、投射光量を絞る絞り等を調整するためのモーター類を備え、制御部１４の制御に従って上記モーター等を駆動する投射光学系駆動部３４が接続されている。
プロジェクター１０は、ズーム調整レバー（図示略）やフォーカス調整レバー（図示略）を備え、これらのレバーの操作によって、投射光学系２３が有するレンズを移動させ、スクリーンＳＣ上の投射画像の拡大、縮小及びフォーカス調整が行われる。
【００１８】
画像処理系は、プロジェクター１０全体を統合的に制御する制御部１４を中心に構成され、制御部１４が処理するデータや制御部１４が実行する制御プログラムを記憶した記憶部１５、リモコンや操作パネルによる操作を検出する入力処理部１６、画像データを処理する画像処理部３１、画像処理部３１から出力される画像信号に基づいて光変調装置２２を駆動して描画を行う光変調装置駆動部３３を備えている。
【００１９】
制御部１４は、記憶部１５に記憶された制御プログラムを読み出して実行することにより、プロジェクター１０の各部を制御する。制御部１４は、入力処理部１６から入力される操作情報に基づいて、ユーザーが行った操作の内容を検出し、この操作に応じて画像処理部３１、光変調装置駆動部３３、投射光学系駆動部３４及び光源駆動部３５を制御して、スクリーンＳＣに画像を投射させる。
【００２０】
入力処理部１６は、プロジェクター１０を操作するリモコン（図示略）が送信する無線信号を受信してデコードし、リモコンにおける操作を検出する機能、及び、プロジェクター１０の操作パネル（図示略）におけるボタン操作を検出する機能を有する。入力処理部１６は、リモコンや操作パネルにおける操作を示す操作信号を生成して、制御部１４に出力する。また、入力処理部１６は、制御部１４の制御に従い、プロジェクター１０の動作状態や設定状態に応じて操作パネル（図示略）のインジケーターランプの点灯状態を制御する。
【００２１】
プロジェクター１０とＰＣ５０とは、無線通信方式によって各種データを送受信可能に接続され、例えばＩＥＥＥ８０２．１１規格に準拠した無線ＬＡＮ方式を採用することができる。なお、プロジェクションシステム１においてＰＣ５０からプロジェクター１０に伝送される画像データは、動画像（映像）データであっても良いし、静止画像データであってもよい。
通信Ｉ／Ｆ１１は、図示しないアンテナやＲＦ回路等を備え、制御部１４の通信制御部４１によって制御され、画像データ等の各種データをＰＣ５０間で送受信する。
【００２２】
画像処理部３１は、制御部１４の制御に従って、ＰＣ５０から入力された画像データを取得して、画像サイズ或いは解像度、静止画像か動画像であるかの別、動画像の場合はフレームレート等の画像データの属性を判定する。そして、画像処理部３１は、フレーム毎にフレームメモリー３２に画像を展開する。また、画像処理部３１は、取得した画像データの解像度が光変調装置２２の液晶パネルの表示解像度と異なる場合には解像度変換処理を行い、リモコンや操作パネルの操作によりズームが指示された場合には拡大／縮小処理を行って、これらの処理後の画像をフレームメモリー３２に展開する。その後、画像処理部３１は、フレームメモリー３２に展開したフレーム毎の画像を表示信号として光変調装置駆動部３３に出力する。
以上のように、プロジェクター１０が有する制御部１４は、記憶部１５が記憶する制御プログラムを実行することにより、通信制御部４１、投射制御部４３、及び補正制御部４４の機能を実現する。
【００２３】
一方、ＰＣ５０は、プログラムを実行してＰＣ５０の各部を制御する制御部６０、キーボードやマウス等の入力デバイス（図示略）による入力操作を検出する入力部５４、液晶ディスプレイ等の表示デバイス（図示略）に表示信号を出力して、制御部６０による処理結果や操作用の画面を表示させる表示部５５、及び、制御部６０が実行するアプリケーションプログラムや各種データを不揮発的に記憶する記憶部５６を備えている。
制御部６０は、ＰＣ５０を中枢的に制御するものであり、各種プログラムを実行するＣＰＵ、ＣＰＵにより実行される基本制御プログラム等を記憶するＲＯＭ、ＣＰＵが実行するプログラムや処理対象のデータ等を一時的に記憶するワークエリアを形成するＲＡＭ、その他周辺回路等を備えている。
また、ＰＣ５０は、無線通信方式によってプロジェクター１０との間で画像データ等の各種データを送受信するためのインターフェイスとして、通信Ｉ／Ｆ６３を備えている。通信Ｉ／Ｆ６３は、通信Ｉ／Ｆ１１と同様に、図示しないアンテナやＲＦ回路等を備え、ＣＰＵ５１によって制御される。
【００２４】
制御部６０は、ＰＣ５０の各部の初期化を行う。その後、制御部６０は、入力部５４における入力操作に従って、記憶部５６に記憶されたアプリケーションプログラムを読み出して実行することにより、各種機能を実現する。例えば、制御部６０は、入力部５４における入力操作に従って、制御部６０がアプリケーションプログラムを実行することにより生成した画像データ、記憶部５６に記憶している画像データ、表示部５５に表示されている画像の画像データ、或いは、外部の記録媒体や別の装置から取得した画像データを、プロジェクター１０に出力する。
【００２５】
ところで、プロジェクションシステム１において動画像データをＰＣ５０からプロジェクター１０に送信して、プロジェクター１０が動画像を再生する場合、ＰＣ５０が周期的に（例えば、毎秒３０フレーム）、フレーム毎に画像データを送信し、プロジェクター１０は画像データを受信する毎に投射画像を更新する。このような場合、通信回線１００を経由してＰＣ５０とプロジェクター１０との間で伝送されるデータの情報量が増加し、通信回線１００が混雑する。例えば通信回線１００が無線ＬＡＮにより構成される場合、通信可能範囲に存在する他のＰＣ等の各種装置が同周波数帯の無線ＬＡＮを使用していると、干渉を回避するための帯域の制限により通信回線１００の伝送可能容量が制限され、通信状況が悪化する。また、通信回線１００を介して他のＰＣ等の装置がデータを送受信していると、通信回線１００の伝送容量が逼迫し、通信回線１００における転送データの衝突が発生する等してデータ転送が滞ってしまう。また、ＰＣ５０とプロジェクター１０との間や通信回線１００を構成するルーター（図示略）やアクセスポイント等の各種機器とＰＣ５０またはプロジェクター１０との間に障害物が存在し、無線信号の到達を妨げている場合も、通信回線１００の伝送可能容量が抑制されてしまうことから、同様に通信状況が悪化する。
これらの要因によって、通信回線１００の通信状況が悪化すると、データロスや転送遅延によりＰＣ５０から送信される動画像データがプロジェクター１０に到達するまでに時間かかかり、プロジェクター１０が映像を滑らかに表示できなくなってしまう。そこで、本実施形態のプロジェクションシステム１では、通信回線１００の通信状況（混雑状況）に基づいて、ＰＣ５０からプロジェクター１０に送信する画像データの単位時間当たりのデータ量を自律的に変化させ、伝送効率の最適化を図る機能をＰＣ５０に備えた。
【００２６】
次に、ＰＣ５０からプロジェクター１０に画像データを送信する際のプロジェクションシステム１の動作を、図２のシーケンス図を用いて説明する。
図２は、ＰＣ５０から送信される画像データに基づく画像をプロジェクター１０で投射してスクリーンＳＣに表示する際に、通信回線１００の通信状況を検出して、プロジェクター１０に対して送信する画像データの単位時間当たりのデータ量を変化させるプロジェクションシステム１の動作を示し、（Ａ）はＰＣ５０の動作を示し、（Ｂ）はプロジェクター１０の動作を示す。
なお、本実施形態では、通信回線１００の通信状況を検出し、検出した通信状況に応じて画像データの単位時間当たりのデータ量を変化させる制御プログラム５６ａは、ＰＣ５０の記憶部５６に記憶されている。そして、この制御プログラム５６ａを実行して、画像データの単位時間当たりのデータ量を自律的に変化させ、伝送効率の最適化を図る機能を、入力部５４を介してユーザーがオン／オフの切り替えができる構成であっても良い。また、画像データの伝送効率を自動で最適な状態に保つ機能をオフにした状態で、ユーザーがプロジェクター１０に対して送信する画像データの単位時間当たりのデータ量を入力部５４への入力操作により手動で設定可能な構成であっても良い。
【００２７】
制御プログラム５６ａを実行して、通信回線１００の通信状況を検出し、検出した通信状況に応じて送信する画像データの単位時間当たりのデータ量を変化させる際には、ＰＣ５０の制御部６０は、図２（Ａ）に示すように、検出部（検出手段）６１の機能により、記憶部５６に記憶された検出用データ５６ｂを通信Ｉ／Ｆ６３から通信回線１００を経由してプロジェクター１０に送信する（ステップＳ１）。検出用データ５６ｂは、ＰＣ５０からプロジェクター１０に送信される画像データよりデータ容量の小さいデータであり、例えば、ＰＣ５０が送信可能な最小のパケットサイズのデータである。検出用データ５６ｂは、当該データを受け取ったプロジェクター１０に対して返信を要求するコマンドまたは特定のデータを含む。なお、ＰＣ５０は、検出用データ５６ｂを定期的にプロジェクター１０に送信する。検出用データ５６ｂは、例えば、ＰＣ５０からプロジェクター１０に送信される先の画像データと、次の画像データとの間に送信される。
【００２８】
続いて、ＰＣ５０は、検出用データ５６ｂに対する返信をプロジェクター１０から受け取る（ステップＳ２）。検出用データ５６ｂに対する返信には、少なくとも検出用データ５６ｂがプロジェクター１０に到達した時間が記録されている。つまり、検出用データ５６ｂは、ＰＣ５０からプロジェクター１０に定期的に送信され、プロジェクター１０からは、検出用データ５６ｂがプロジェクター１０に到達した到達時間が返信される。制御部６０は、検出部６１の機能により、プロジェクター１０から通知された検出用データ５６ｂがプロジェクター１０に到達した到達時間に基づいて、ＰＣ５０とプロジェクター１０との間の通信回線１００の通信状況を検出する（ステップＳ３）。詳述すると、制御部６０は、検出部６１の機能により、プロジェクター１０から通知される検出用データ５６ｂの到達時間のばらつきを分析して、通信回線１００の通信状況を検出する。例えば、制御部６０は検出用データ５６ｂの到達時間の分散や標準偏差を算出し、算出した値を、予め設定された基準値と比較することにより、通信状況の数値化、通信状況の段階的な評価、または、通信状況の良否の判定を行う。なお、検出部６１は、検出用データ５６ｂに対する返信をプロジェクター１０から受信する度に通信回線１００の通信状況を判定する構成であっても良いし、または、ＰＣ５０がプロジェクター１０に通信回線１００を介して接続されている間、一定時間ごとに通信回線１００の通信状況を判定する構成であっても良い。
【００２９】
次に、制御部６０は、送信データ制御部（送信データ制御手段）６２の機能により、検出部６１で検出した通信回線１００の通信状況に基づいて、ＰＣ５０からプロジェクター１０に対して送信する画像データの単位時間当たりのデータ量を変化させる（ステップＳ４）。なお、送信データ制御部６２は、ＰＣ５０からプロジェクター１０に対して送信する画像データのパフォーマンスを調整することで、送信する画像データの単位時間当たりのデータ量を変化させる。
プロジェクター１０により動画像を再生する際には、ＰＣ５０は、画像データを連続してプロジェクター１０に送信する。そのため、送信データ制御部６２は、ＰＣ５０からプロジェクター１０に対して送信する画像データの送信間隔を変更して、送信する画像データの単位時間当たりのデータ量を変化させる。例えば、通信回線１００が混雑している場合には、送信データ制御部６２は、プロジェクター１０に対して送信する画像データの送信間隔を広げる処理を行い、画像データの送信頻度を下げることで、送信する画像データの単位時間当たりのデータ量を減少させる。また、通信回線１００を経由してのＰＣ５０とプロジェクター１０との間の通信状況に応じては、送信データ制御部６２は、プロジェクター１０に対して送信する画像データの送信間隔を小さくする処理を行い、画像データの送信頻度を上げる。
【００３０】
また、送信データ制御部６２は、ＰＣ５０からプロジェクター１０に対して送信する画像データの圧縮方式や圧縮率を変更して、送信する画像データの単位時間当たりのデータ量を変化させる構成であっても良い。
また、送信データ制御部６２は、ＰＣ５０からプロジェクター１０に対して送信する画像データの解像度を変更して、送信する画像データの単位時間当たりのデータ量を変化させる構成であっても良い。
【００３１】
ＰＣ５０の制御部６０は、ＰＣ５０からプロジェクター１０に対して画像データが送信されている間、または、ＰＣ５０がプロジェクター１０に通信回線１００を介して接続されている間、通信回線１００を経由してのＰＣ５０とプロジェクター１０との通信状況の検出を行い、検出した通信状況に基づいて、プロジェクター１０に送信するデータの単位時間当たりのデータ量を適宜変化させる。
これにより、通信回線１００を経由してＰＣ５０からプロジェクター１０に画像データを送信して、プロジェクター１０で投射を行う際に、通信回線１００の混雑状況に基づいて、画像データの単位時間当たりのデータ量を変化させて、通信回線１００の帯域を圧迫しないように画像データを送信することができる。よって、ＰＣ５０から送信された画像データがプロジェクター１０に到達せずに消滅したり、データ転送が滞り滑らかに動画像を投射することができなくなったりするのを防止することができる。
【００３２】
一方、プロジェクター１０の制御部１４は、図２（Ｂ）に示すように、通信制御部４１の機能により、通信Ｉ／Ｆを介して、通信回線１００を経由してＰＣ５０から送信された検出用データ５６ｂを受信する（ステップＳ１１）。上述したように、検出用データ５６ｂには、返信を要求するコマンドまたは特定のデータが含まれているため、続いて、制御部１４は、通信制御部４１の機能により、検出用データ５６ｂがプロジェクター１０に到達した到達時間を含む情報を通信Ｉ／Ｆ１１及び通信回線１００を介してＰＣ５０に返信する（ステップＳ１２）。
【００３３】
以上説明したように、本発明を適用した実施形態に係るプロジェクションシステム１によれば、ＰＣ５０からプロジェクター１０に対し通信回線１００を介して画像データを連続して送信し、プロジェクター１０により画像データを受信する毎に表示を更新するプロジェクションシステム１であって、画像データより小さい検出用データ５６ｂをプロジェクター１０に送信し、検出用データ５６ｂがプロジェクター１０に到達した到達時間に基づいてＰＣ５０とプロジェクター１０との間の通信状況を検出する検出部６１と、検出部６１により検出されたＰＣ５０とプロジェクター１０との間の通信状況に基づいて、ＰＣ５０からプロジェクター１０に対して送信する画像データの単位時間当たりのデータ量を変化させる送信データ制御部６２と、を備えた。
これにより、プロジェクションシステム１では、ＰＣ５０から、画像データより小さい検出用データ５６ｂをプロジェクター１０に送信し、検出用データ５６ｂがプロジェクター１０に到達した到達時間に基づいてＰＣ５０とプロジェクター１０との間の通信状況を検出する。よって、検出用データ５６ｂを画像データの送受信の処理に影響を与えることなく、且つ、速やかにプロジェクター１０に到達させることができる。そのため、検出用データ５６ｂがプロジェクター１０に到達する到達時間のばらつきに基づいて、現在のＰＣ５０とプロジェクター１０との間の通信状況を速やかに検出して、画像データの送信制御を行うことができる。そして、ＰＣ５０から送信された画像データがプロジェクター１０に到達せずに消滅したり、データ転送が滞り滑らかに動画像を投射することができなくなったりするのを防止することができる。
【００３４】
また、プロジェクションシステム１は、ＰＣ５０の制御部１４が有する送信データ制御部６２の機能により、連続してプロジェクター１０に送信する画像データの送信間隔を変更して、画像データの単位時間当たりのデータ量を変化させる。これにより、プロジェクションシステム１は、ＰＣ５０とプロジェクター１０との間の通信状況に応じて、画像データの送信間隔を変更して、画像データの単位時間当たりのデータ量を変化させることができる。よって、通信回線１００が混雑しデータ転送が滞るのを防ぐことができ、映像を滑らかに表示することができる。
【００３５】
また、プロジェクションシステム１は、ＰＣ５０の制御部１４が有する送信データ制御部６２の機能により、プロジェクター１０送信する画像データの圧縮方式を変更して、画像データの単位時間当たりのデータ量を変化させる。これにより、プロジェクションシステム１は、ＰＣ５０とプロジェクター１０との間の通信状況に応じて、画像データの圧縮方式を変更し、画像データの単位時間当たりのデータ量を変化させることができる。よって、通信回線１００が混雑しデータ転送が滞るのを防ぐことができ、映像を滑らかに表示することができる。
【００３６】
また、プロジェクションシステム１は、ＰＣ５０の制御部１４が有する送信データ制御部６２の機能により、プロジェクター１０に送信する画像データの解像度を変更して、画像データの単位時間当たりのデータ量を変化させる。これにより、プロジェクションシステム１は、ＰＣ５０とプロジェクター１０との間の通信状況に応じて、画像データの解像度を変更し、画像データの単位時間当たりのデータ量を変化させることができる。よって、通信回線１００が混雑しデータ転送が滞るのを防ぐことができ、映像を滑らかに表示することができる。
【００３７】
なお、上述した実施形態は本発明を適用した具体的態様の例に過ぎず、本発明を限定するものではなく、上記実施形態とは異なる態様として本発明を適用することも可能である。例えば、上記実施形態では、ＰＣ５０の検出部６１が、プロジェクター１０から通知される検出用データ５６ｂの到達時間のばらつきを分析することによって、通信回線１００の通信状況を検出する構成を例に挙げて説明したが、本発明はこれに限定されるものではなく、検出用データ５６ｂの到達時間そのものを予め設定された基準値と比較して通信状況を検出してもよいし、到達時間の平均値を算出して通信状況を検出してもよい。
また、例えば、上記実施形態の表示装置は、スクリーンＳＣに画像を投射するプロジェクターである構成としたが、これに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Organic light-emitting diode）、ＯＥＬ（Organic Electro-Luminescence）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当する。
また、上記実施形態においてソフトウェアで実現されている機能の一部をハードウェアで実現してもよく、あるいは、ハードウェアで実現されている機能の一部をソフトウェアで実現してもよい。その他、プロジェクター１０、ＰＣ５０、及びプロジェクションシステム１の他の各部の具体的な細部構成についても、本発明の趣旨を逸脱しない範囲で任意に変更可能である。
また、上記実施形態においては、送信データ制御部６２は、画像データの送信間隔、画像データの圧縮方式、あるいは、画像データの解像度のいずれかを変更して画像データの単位時間当たりのデータ量を変化させる構成としたが、これに限らず、画像データの送信間隔、画像データの圧縮方式、及び／または、画像データの解像度の変更を組み合わせて、ＰＣ５０とプロジェクター１０との間の通信状況に対して適切に画像データの単位時間当たりのデータ量を変化させることができる構成であっても良い。
【符号の説明】
【００３８】
１…プロジェクションシステム（表示システム）、１０…プロジェクター（表示装置）、１１…通信Ｉ／Ｆ、１４…制御部、２０…投射部、２１…照明光学系、２２…光変調装置、２３…投射光学系、４１…通信制御部、４３…投射制御部、４４…補正制御部、５０…ＰＣ（画像供給装置）、５６…記憶部、５６ａ…制御プログラム、５６ｂ…検出用データ（検出用のデータ）、６０…制御部、６１…検出部（検出手段）、６２…送信データ制御部（送信データ制御手段）、ＳＣ…スクリーン。
【図１】
2014049942.tif 000003
【図２】
2014049942.tif 000004